(57)【要約】【課題】  画質再現性が良く用途に適した編集が施こされた読み取り画像を、ユーザが簡易に得ることができる。【解決手段】  画像読み取り手段１０；少なくとも一種の画質処理と少なくとも一種の画像編集の組合せの１組以上を指定する手段４０；指定された組合せを保持するためのメモリ；画像読み取りの画像データに、各組合せの画像処理および画像編集を加えて処理結果の各画像を、画像表示手段に一覧表示する画像処理手段６１，８０；一覧表示の画像を選択指定する手段７７；選択指定画像の出力先を指定する手段７７；および、指定があった出力先に選択指定画像を出力する出力制御手段８０；を備える。画像読み取りモードの起動に応答して、組合せを指定用入力画面を表示する。初期設定入力画面に対して入力された組合せを前記メモリに登録する。【選択図】  図９
2007306081.tif 000002
【特許請求の範囲】
【請求項１】
画像を読み取り該画像を表す画像データを生成する画像読み取り手段；
少なくとも一種の画質処理と少なくとも一種の画像編集の組合せの１組以上を指定するための組合せ指定手段；
該組合せ指定手段により指定された組合せを保持するためのメモリ手段；
画像表示手段；
前記画像読み取り手段が生成する前記画像データに、前記メモリ手段が保持する各組合せの画像処理および画像編集を加えて処理結果の各画像を、前記画像表示手段に一覧表示する画像処理手段；
前記一覧表示された処理結果の画像を選択指定するための選択指定手段；
選択指定される画像の出力先を指定する出力先指定手段；および、
前記指定された出力先に前記選択指定された画像を表わす画像データを出力する出力制御手段；
を備える画像読み取り装置。
【請求項２】
画像読み取りモードの起動に応答して、前記画像表示手段に前記組合せ指定手段による前記組合せの指定をするための入力画面を表示する読み取り制御手段；を更に備える請求項１に記載の画像読み取り装置。
【請求項３】
前記読み取り制御手段は、画像読み取りモードの起動に応答して、一覧表示モードを実行するか否の問い合わせを前記画像表示手段に表示し、実行が指定されたときに前記画像表示手段に前記組合せ指定手段による前記組合せの指定をするための入力画面を表示する；請求項２に記載の画像読み取り装置。
【請求項４】
組合せ初期設定の指示に応答して、前記画像表示手段に前記組合せ指定手段による前記組合せの指定をするための初期設定入力画面を表示し、該初期設定入力画面に対して入力された組合せを前記メモリ手段に登録する初期設定手段；を更に備える請求項１に記載の画像読み取り装置。
【請求項５】
前記初期設定手段により登録される組合せの画像処理および画像編集を加えた画像を前記画像表示手段に一覧表示する一覧表示モード、の実行と不実行の優先情報を設定するための優先指定手段；および、
画像読み取りモードの起動に応答して、前記優先指定手段により設定された前記優先情報が一覧表示モードの実行を表わすときに、前記メモリ手段に登録がある組合せを前記画像表示手段に表示する読み取り制御手段；を更に備える請求項４に記載の画像読み取り装置。
【請求項６】
前記画像表示手段が表示した画像の拡大を指示する拡大指示手段；を更に備える請求項１乃至５のいずれか１つに記載の画像読み取り装置。
【請求項７】
拡大位置を指定する手段；を更に備える請求項６に記載の画像読み取り装置。
【請求項８】
前記画像処理手段は、各組合せの画像処理および画像編集を加えた処理結果の全画像を、前記画像表示手段の１画面上に一覧表示できない場合、複数画面に渡って表示する；請求項１乃至７のいずれか１つに記載の画像読み取り装置。
【請求項９】
前記画像表示手段の表示を、前記複数画面の中の次の画面に進めるあるいは前の画面に戻す、に指示する手段；を更に備える請求項８に記載の画像読み取り装置。
【請求項１０】
同一画面上に表示する画像を指定する手段；を更に備え、前記画像処理手段は、指定された画像を前記画像表示手段の同一画面上に表示する；請求項９に記載の画像読み取り装置。
【請求項１１】
前記画像処理手段は、複数画像の連続読み取りにおいては、前記画像読み取り手段が生成する最先読み取り画像の画像データに、前記メモリ手段が保持する各組合せの画像処理および画像編集を加えて処理結果の各画像を、前記画像表示手段に一覧表示する；請求項１乃至１０のいずれか１つに記載の画像読み取り装置。
【請求項１２】
複数画像の連続読み取りにおいて前記一覧表示の対象とする画像を指定する手段；を更に備え、前記画像処理手段は、複数画像の連続読み取りにおいては、前記一覧表示の対象に指定された画像の読み取り画像データに、前記メモリ手段が保持する各組合せの画像処理および画像編集を加えて処理結果の各画像を、前記画像表示手段に一覧表示する；請求項１乃至１０のいずれか１つに記載の画像読み取り装置。
【請求項１３】
請求項１乃至１２のいずれか１つに記載の画像読み取り装置；および、
前記出力先の１つである、画像データが表す画像を用紙上に形成する記録手段；を備える画像形成装置。
【発明の詳細な説明】
【技術分野】
【０００１】
本発明は画像を読み取って該画像を表す画像データを発生する画像読み取り装置およびそれを用いる画像形成装置に関する。本発明は例えば、原稿スキャナ，複写機およびファクシミリ装置に使用できる。
【背景技術】
【０００２】
【特許文献１】特開平１１−４３３９号公報
【特許文献２】特開２００４−１１３４４４号公報。
【０００３】
特許文献１は、画像読取装置に載置されたプリント写真を最大サイズにて走査して読み取り、読み取った画像を複数のサイズの枠に当て嵌めて一覧表示し、ユーザが選択した画像に基づいて原稿サイズを検出し、該原稿サイズで画像読み取り画像を切り出す画像処理装置を記載している。特許文献２は、複数の医療用診断画像を、登録された複数種類の画像配置情報の中の、選択手段により選択された画像配置情報に従って一画面上に表示する医用画像処理装置を記載している。
【０００４】
ところで、画像読み取りにより読み取った画像データは、面ディスプレイに表示する，コンピュータで処理又は編集利用する，プリンタで印刷する，画像メモリ（ファイル）に登録する，ファクシミリ送信する等、使途は色々であり、画像の特徴（例えば文字，写真）およびサイズも数種であるので、画像読み取り時に、画像の特徴やサイズに応じた画質改善処理および画像編集処理が自動的に行なわれる、あるいは、ユーザの指定に応じて行われる。
【０００５】
この種の画像処理内容は、ユーザインターフェースによりユーザが複数種類選択することが可能である。例えば、
・画質モードの選択：文字・写真モード，文字モード，写真モードの選択；
・画像編集：枠消去，センター消去の選択、ならびに、それぞれに対する消去領域の設定            ，ミラーリングする／しないの選択，アンダーカラー処理（アンダーカラー            色の選択），カラー変換（何色から何色への変換かの選択）
・変倍：変倍率の選択
等々。
【発明の開示】
【発明が解決しようとする課題】
【０００６】
これらは一例であり、その他様々な画像種類の組合せによる画像処理後の画像が、ユーザの意図する画像になっているか否かを、ユーザは判断する必要がある。この手法として、コピー画像として転写紙に印刷する、あるいはスキャナ画像としてＰＣ（パーソナルコンピュータ：パソコン）画面に取り込む等で画像出力結果を得ている。この時、意図しない画像出力結果である場合、画像処理内容を変更し、再度画像出力結果を得る。これを試行錯誤的に何度も繰り返して、意図した画像を得る。ここで次の問題がある。
１）何度も印刷する場合、転写紙・画像形成材（トナー，インク等）のムダ使いとなる；
２）何度もスキャン、印刷する場合、読取り装置や印刷装置の寿命低下となる；
３）何度もスキャン、印刷する場合、該作業時間を消費する。作業がわずらわしい。
【０００７】
本発明は、画質再現性が良く用途に適した編集が施こされた読み取り画像を、ユーザが簡易に得ることができる画像読み取り装置、を提供することを目的とする。
【課題を解決するための手段】
【０００８】
（１）画像を読み取り該画像を表す画像データを生成する画像読み取り手段（１０）；
少なくとも一種の画質処理と少なくとも一種の画像編集の組合せの１組以上を指定するための組合せ指定手段（４０）；
該組合せ指定手段により指定された組合せを保持するためのメモリ手段（４０）；
画像表示手段（７７）；
前記画像読み取り手段が生成する前記画像データに、前記メモリ手段が保持する各組合せの画像処理および画像編集を加えて処理結果の各画像を、前記画像表示手段に一覧表示する画像処理手段（６１，８０）；
前記一覧表示された処理結果の画像を選択指定するための選択指定手段（７７）；
選択指定される画像の出力先を指定する出力先指定手段（７７）；および、
前記指定された出力先に前記選択指定された画像を表わす画像データを出力する出力制御手段（８０）；
を備える画像読み取り装置。
【０００９】
なお、理解を容易にするために括弧内には、図面に示し後述する実施例の対応要素又は相当要素の記号を、例示として参考までに付記した。以下も同様である。
【発明の効果】
【００１０】
組合せ指定手段（４０）にて、画質処理と画像編集の組合が異なる複数組を指定して画像読み取りを１回行うことにより、複数組の画像処理のそれぞれを施した各画像が画像表示手段に一覧表示される。ユーザは、選択指定手段（７７）を用いて一覧表示の中から所望の画像を選択指定し、出力先指定手段（７７）を用いて出力先を指定することにより、画像を出力することができる。スキャナ機能やコピー機能、ＦＡＸ機能として原稿を複製する際、スキャン画像に対して、画質モードや画像編集用途に応じた画像処理を施すことで、再現性の良い画像を得ることや、用途に応じた編集画像を得ることができる。
【発明を実施するための最良の形態】
【００１１】
（２）画像読み取りモードの起動に応答して、前記画像表示手段に前記組合せ指定手段（４０）による前記組合せの指定をするための入力画面を表示する（図８の５３）読み取り制御手段（８０）；を更に備える上記（１）に記載の画像読み取り装置。組合せ内容を固定的に決定せず、ユーザの希望に応じた画像処理組合せとして選択可能である。
【００１２】
（３）前記読み取り制御手段（８０）は、画像読み取りモードの起動に応答して、一覧表示モードを実行するか否の問い合わせを前記画像表示手段に表示し（図８の６１）、実行が指定されたときに前記画像表示手段（７７）に前記組合せ指定手段による前記組合せの指定をするための入力画面を表示する（図８の６２，５３）；上記（２）に記載の画像読み取り装置。毎回画像比較用の一覧表示されたのでは、これを不要とするユーザにとっては作業効率が低下する。これを回避することができる。
【００１３】
（４）組合せ初期設定の指示に応答して、前記画像表示手段に前記組合せ指定手段による前記組合せの指定をするための初期設定入力画面を表示し（図６の３１）、該初期設定入力画面に対して入力された組合せを前記メモリ手段に登録する初期設定手段（４０）；を更に備える上記（１）に記載の画像読み取り装置。ユーザの経験からある特定の画像処理組合せの種類がいくつか決まっている場合、操作する度毎に画像処理内容を１つ１つ選択せずに、容易な操作方法で選択可能となる。ことにより、ユーザにとっての作業効率の低下（煩わしさ増加、手順の多さとその所要時間増加）を防ぐ。
【００１４】
（５）前記初期設定手段により登録される組合せの画像処理および画像編集を加えた画像を前記画像表示手段に一覧表示する一覧表示モード、の実行と不実行の優先情報（ＳＩＤ）を設定するための優先指定手段（４０）；および、
画像読み取りモードの起動に応答して、前記優先指定手段により設定された前記優先情報が一覧表示モードの実行を表わすとき（ＳＩＤ＝「１０」）に、前記メモリ手段に登録がある組合せを前記画像表示手段に表示する（図８の５３）読み取り制御手段（８０）；を更に備える上記（４）に記載の画像読み取り装置。画像比較用の一覧表示することを定型業務とするようなユーザにとっては、該操作用の設定を毎回することでユーザにとっては作業効率が低下する。これを回避することができる。
【００１５】
（６）前記画像表示手段が表示した画像の拡大を指示する拡大指示手段（図９上の拡大）；を更に備える上記（１）乃至（５）のいずれか１つに記載の画像読み取り装置。例えば、画質モードを変更する場合、文字部はより文字らしく画像部と非画像部の境界部を協調する。一方写真モードである場合、その逆で該境界部を滑らかにする必要がある。画像全体が一覧表示されただけでは、特に意識したい一部の個所がどのような画像処理結果になっているのか判断しづらくなる。これを回避することができる。
【００１６】
（７）拡大位置を指定する手段（図１１）；を更に備える上記（６）に記載の画像読み取り装置。ユーザにとって「特に意識したい一部の個所」をユーザの意図に沿って指定できる。
【００１７】
（８）前記画像処理手段は、各組合せの画像処理および画像編集を加えた処理結果の全画像を、前記画像表示手段の１画面上に一覧表示できない場合、複数画面に渡って表示する；上記（１）乃至（７）のいずれか１つに記載の画像読み取り装置。例えば、ユーザが希望する「異なる種類の画像処理組合せの組合せ数」が７あったとする。一方画像表示手段内に一覧表示可能な画像数が４であったとする。この場合、残りの６画像が全く表示されないのでは、作業の繰り返しが必要となり、ユーザにとっての作業効率が低下する。これを回避することができる。
【００１８】
（９）前記画像表示手段の表示を、前記複数画面の中の次の画面に進めるあるいは前の画面に戻す、に指示する手段；を更に備える上記（８）に記載の画像読み取り装置。例えば、ユーザが希望する「異なる種類の画像処理組合せの組合せ数」が７あったとする。一方画像表示手段内に一覧表示可能な画像数が４であったとする。この場合、次の５つめの画像を見たい場合は、ユーザが画面を進めること見ることが可能となる。また、画面を進めていくうちに、比較したい画像が前の画面にあった場合、再度前の画面を見ることが可能となり、ユーザにとっての画像比較作業の効率が向上する。
【００１９】
（１０）同一画面上に表示する画像を指定する手段；を更に備え、前記画像処理手段は、指定された画像を前記画像表示手段の同一画面上に表示する；上記（９）に記載の画像読み取り装置。複数画面に比較したい画像がそれぞれ配置されてあった場合、画面を行き来しなければ、比較することができない。せっかく一覧表示し、複数画像を比較しやすくしたにも関わらず、異なる画面に比較画像があったのでは、ユーザにとって比較作業が困難となる。これを回避することができる。
【００２０】
（１１）前記画像処理手段は、複数画像の連続読み取りにおいては、前記画像読み取り手段が生成する最先読み取り画像の画像データに、前記メモリ手段が保持する各組合せの画像処理および画像編集を加えて処理結果の各画像を、前記画像表示手段に一覧表示する；上記（１）乃至（１０）のいずれか１つに記載の画像読み取り装置。例えば、自動原稿搬送装置（ドキュメントフィーダ）を用いた場合にも、ユーザは、選択指定手段（７７）を用いて一覧表示の中から所望の画像を選択指定し、出力先指定手段（７７）を用いて出力先を指定することにより、画像を出力することができる。スキャナ機能やコピー機能、ＦＡＸ機能として原稿を複製する際、スキャン画像に対して、画質モードや画像編集用途に応じた画像処理を施すことで、再現性の良い画像を得ることや、用途に応じた編集画像を得ることができる。
【００２１】
（１２）複数画像の連続読み取りにおいて前記一覧表示の対象とする画像を指定する手段；を更に備え、前記画像処理手段は、複数画像の連続読み取りにおいては、前記一覧表示の対象に指定された画像の読み取り画像データに、前記メモリ手段が保持する各組合せの画像処理および画像編集を加えて処理結果の各画像を、前記画像表示手段に一覧表示する；上記（１）乃至（１０）のいずれか１つに記載の画像読み取り装置。
【００２２】
（１３）上記（１）乃至（１２）のいずれか１つに記載の画像読み取り装置；および、
前記出力先の１つである、画像データが表す画像を用紙上に形成する記録手段（２０）；を備える画像形成装置。
【００２３】
（１４）前記出力先の１つである、画像蓄積メモリ（８２）；を更に備える上記（１３）に記載の画像形成装置。
【００２４】
（１５）前記出力先の１つは、コンピュータである；上記（１３）又は（１４）に記載の画像形成装置。
【００２５】
（１６）前記出力先の１つは、ファクシミリ送信である；上記（１３）乃至（１５）のいずれか１つに記載の画像形成装置。
【００２６】
本発明の他の目的および特徴は、図面を参照した以下の実施例の説明より明らかになろう。
【実施例１】
【００２７】
図１に、本発明の一実施例の複合機能フルカラーデジタル複写機ＭＦ１の外観を示す。このフルカラー複写機は、大略で、自動原稿送り装置（ＡＤＦ）１２と、カラースキャナ１０と、カラープリンタ２０と、給紙バンク２７と、操作ボード４０（図４）の各ユニットで構成されている。機内のネットワークＩ／Ｆ８４（図２）には、パソコンＰＣが接続したＬＡＮ（Ｌｏｃａｌ  Ａｒｅａ  Ｎｅｔｗｏｒｋ）が接続されている。また、機内のファクシミリコントローラも、ネットワークＩ／Ｆ８４のモデム，交換機ＰＢＸおよび公衆通信網ＰＮを介して、ファクシミリ通信をすることが出来る。
【００２８】
プリンタ２０には、転写ユニットがあり、該転写ユニットには、無端ベルトである転写ベルト２１がある。転写ベルト２１は、３つの支持ローラと１つのテンションローラに掛け廻されており、反時計廻りに回動駆動される。テンションローラの近くに、画像転写後に転写ベルト２１上に残留する残留トナーを除去する転写体クリーニングユニットがある。
【００２９】
１つの支持ローラともう１つの支持ローラとの間の転写ベルト２１には、その移動方向に沿って、上流側からＢｋ（ブラック），Ｃ（シアン），Ｍ（マゼンタ）およびＹ（イエロー）の各色作像用の作像ユニットが装備され、これらの中にある各感光体ドラム２２に、転写ベルト２１を挟んで対向して、転写ローラ２６がある。前記作像装置の上方には、各色感光体ユニットの各感光体ドラムに画像形成のためのレーザ光を照射する光書込ユニット２４がある。感光体ドラム２２を、帯電ローラ２３が均一に帯電し、帯電面に光書込ユニット２４が画像信号で変調したレーザを投射する。これによって生じた静電潜像を、現像器２５が現像してトナー像とする。このトナー像が転写ベルト２１に転写される。
【００３０】
転写ベルト２１の下方には、搬送ベルト３３がある。搬送ベルト３３は、転写ベルト２１上のトナー像を、用紙すなわちシート（転写紙）上に転写する。トナー像を転写した用紙は、搬送ベルト３３で定着ユニット３４に送り出される。搬送ベルト３３および定着ユニット３４の下方に、表面に画像を形成した直後の用紙を、裏面にも画像を記録するために表裏を反転して送り出すシート反転ユニットである両面ドライブユニット３５がある。
【００３１】
操作ボード４０（図４）のスタートスイッチが押されると、原稿自動搬送装置（ＡＤＦ）１２に原稿があるときは、それをスキャナ１０のコンタクトガラス上に搬送してから、ＡＤＦ１２に原稿が無いときにはコンタクトガラス上に手置きの原稿を読むために直ちに、スキャナ１０を駆動し、スキャナ１０内の第１キャリッジおよび第２キャリッジを、読み取り走査駆動する。そして、第１キャリッジ上の光源からコンタクトガラスに光を発射するとともに原稿面からの反射光を第１キャリッジ上の第１ミラーで反射して第２キャリッジに向け、第２キャリッジ上のミラーで反射して結像レンズを通して読取りセンサであるＣＣＤに結像する。読取りセンサで得た画像信号に基づいてＢｋ，Ｃ，Ｍ，Ｙ各色記録データが生成される。
【００３２】
また、スタートスイッチが押されたときに、転写ベルト２１の回動駆動が開始されるとともに、前記作像装置の各ユニットの作像準備が開始され、そして各色作像の作像シーケンスが開始されて、各色用の感光体ドラムに各色記録データに基づいて変調された露光レーザが投射され、各色作像プロセスにより、各色トナー像が転写ベルト２１上に一枚の画像として、重ね転写される。このトナー画像の先端が搬送ベルト３３に進入するときに同時に先端が搬送ベルト３３に進入するようにタイミングをはかって用紙がレジストローラ対３２すなわち給送ローラから転写ベルト３３に送り込まれ、これにより転写ベルト２１上のトナー像が用紙に転写する。転写ベルト２１には、転写ローラ２６によって、トナーを転写する電圧が印加される。トナー像が移った用紙は定着ユニット３４に送り込まれ、そこでトナー像が用紙に定着する。
【００３３】
なお、上述の用紙は、給紙バンク２７の給紙トレイ（給紙段又はカセットとも言う）２８〜３０の直近上方の給紙ローラの１つを選択回転駆動し、給紙バンク２７に多段に備える給紙トレイ２８〜３０の１つからシートを繰り出し、分離ローラで１枚だけ分離して、縦配列の搬送コロユニットに入れ、上方に搬送してプリンタ２０内の搬送路に導き、搬送路の搬送ローラ３１でレジストローラ対３２に搬送して用紙の先端をレジストローラ対３２に突き当てて止めてから、前述のタイミングでレジストローラ対３２および搬送ローラ３１を回転駆動して搬送ベルト３３に送り出されるものである。右側端の手差しトレイ上に用紙を差し込んで給紙することもできる。ユーザが手差しトレイ上に用紙を差し込んでいるときには、プリンタ２０が手差しトレイ部の給紙ローラを回転駆動して手差しトレイ上のシートの一枚を分離して手差し給紙路に引き込み、同じくレジストローラ対３２に突き当てて止める。
【００３４】
定着ユニット３４で定着処理を受けて排出される用紙は、切換爪で排出ローラに案内して図示を省略した排紙トレイ上にスタックする。または、切換爪で両面ドライブユニットに案内して、そこで反転して再び転写位置へと導き、裏面にも画像を記録して後、排出ローラで排紙トレイ上に排出する。一方、画像転写後の転写ベルト２１上に残留する残留トナーは、図示を省略した転写体クリーニングユニットで除去し、再度の画像形成に備える。
【００３５】
図２には、図１に示す複写機の電気系統の概要を示す。画像読み取り手段である原稿スキャナ１０により読み取られた原稿の、画像を表す画像データは、画像処理６１へと入力され、メモリ８１に格納される。その後、画像処理６１により画像データに対する画像処理が施され、画像出力手段であるプリンタ２０，ネットワークＩ／Ｆ８４に接続されたＰＣ又はファクシミリ回線、もしくは蓄積手段であるＨＤＤ８２又はメディアＩ／Ｆ８５に接続された記録媒体に転送される。コピー動作の場合は、プリンタ２０に転送され、ファクシミリ送信の場合はファクシミリ回線に送出され、画像読み取りの場合には、ＰＣ，ＨＤＤ又は他の記録媒体に転送される。画像処理６１により画像処理が施された結果の画像データは、必要に応じ、画像表示手段でありタッチパネルでもあるディスプレイ７７にも送出され表示される。ユーザからの操作及び指示内容表示や通知は操作ボード４０が使用される。システム全体の統括制御はシステムコントローラ８０により行われる。読取り用原稿が自動原稿搬送手段であるＡＤＦ１２に設置された場合、システムコントローラ８０にて、原稿スキャナ１０とＡＤＦ１２の同期を取り、原稿読取り可能となる。
【００３６】
図３には、図２に示す画像処理６１の機能構成の概要を示す。原稿スキャナ１０が発生する画像データはインターフェイス６２を介して画像処理６３〜６５に与えられる。画像処理６３は、文字と写真が混在する画像に適用するものであり、画像上各部の特徴を自動検出して、文字部にはエッジ強調処理を加え写真部には平滑化処理を加える。ＤＭＡＣが処理後の画像データを転送する。画像処理６４は、文字画像に適用するものであり、画像データにエッジ強調処理を加える。画像処理６５は、写真画像（中間調画像）に適用するものであり、画像データに平滑化処理を加える。画像処理６３〜６５で処理された画像データは、インターフェイス６８を介して、またシステムコントローラ８０を介してメモリ８１に一旦蓄積されてから、読み出されて必要に応じて関数処理７５で変倍されあるいは関数処理７６でサイズ変換されて再度メモリ８１に書き込まれる。色変換は画像処理６３〜６５で行われ、センター消去およびマスキングは関数処理７５，７６でおこなわれる。所要の処理を終えると、エンコーダ６７で圧縮符号化されてＳＡＴＡ７４を介してＨＤＤ８２に蓄積される。これは画像読み取りモードの場合である。コピーモードの場合には、所要の処理を終えた画像データを画像処理７１で、プリンタ２０で画像形成するためのプリント出力用の画像データに変換してから、１原稿の場合にはプリンタ２０に直接出力するが、ＡＤＦ使用（複数原稿）の場合には、所要の処理を終えた読み取り画象データをエンコーダ６７で圧縮符号化してＨＤＤ８２に蓄積する。そしてＨＤＤ８２から読み出してデコーダ６９又は７０で読み取り画像データに復号化し画像処理７１でプリント出力用の画像データに変換してからプリンタ２０に出力する。
【００３７】
スキャナ１０によって原稿画像を読み取り、画像処理６３〜６５，関数処理７５，７６で、ユーザ指定による、１組又は複数組の所要の処理を終えた、１画面又は複数画面の画像データは、タッチ入力が可能なディスプレイ７７に送られて、一覧表示される。
【００３８】
図４に示す様に、操作ボード４０には、液晶タッチパネル４８のほかに、テンキー４１，クリア／ストップキー４２，スタートキー４３，初期設定キー４４，モードクリアキー４５，テスト印刷キー４６がある。テスト印刷キー４６は、設定されている印刷部数に関わらず１部だけを印刷し、印刷結果を確認するためのキーである。
【００３９】
初期設定キー４４を押す事で、機械の初期状態を任意にカスタマイズする事が可能である。機械が収納している用紙サイズを設定したり、コピー機能のリセットキーを押したときに設定される状態を任意に設定可能である。初期設定キー４４が操作されると、各種初期値を設定するための「初期値設定」機能ならびに「ＩＤ設定」機能，「著作権登録／設定」機能および「使用実績の出力」機能等を指定するための選択ボタンが表示される。また、一定時間操作が無いときに優先して選択されるアプリケーション等も選択する事、国際エネルギースター計画に従った低電力への移行時間の設定や、オートオフ／スリープモードへの移行する時間を設定する事が可能である。
【００４０】
液晶タッチパネル４８には、各種機能キー及び画像形成装置の状態を示すメッセージなどが表示される。液晶タッチパネル４８には、「コピー」機能，「読み取り」機能，「印刷」機能，「ファクシミリ」機能，「蓄積」機能および「編集」機能を選択する機能選択キー群４９およびその他の機能の選択用および実行中を表わす機能キー５０，５１が表示される。機能選択キー群４９で指定された機能に定まった入出力画面が表示され、例えば「コピー」機能が指定されているときには、図４に示すように、機能キー６０，５１ならびに部数及び画像形成装置の状態を示すメッセージが表示される。オペレータが液晶タッチパネル４８に表示されたキーにタッチする事で、選択された機能を示すキーが灰色に反転する。また、機能の詳細を指定しなければならない場合（例えばページ印字の種類等）はキーにタッチする事で詳細機能の設定画面が表示される。このように、液晶タッチパネルは、ドット表示器を使用している為、その時の最適な表示をグラフィカルに行う事が可能である。
【００４１】
図５に、図２に示すシステムコントローラ８０（にあるＣＰＵ）の、操作ボード４０に対するユーザの操作またはＰＣからのコマンドに応答して実行するシステム制御の概要を示す。動作電圧が加わるとコントローラ８０は、出力ポートのクリア，内部メモリ，レジスタの初期化等を行い（ステップ１，２）、そして各部の状態読み取りを行う（ステップ３）。以下では、括弧内にはステップという語を省略して、ステップ番号のみを記す。
【００４２】
異常個所があるとそれを操作ボード４０のディスプレイあるいは表示灯で報知し、正常に変わるのを待つ（５）。正常であると、「入力読み取り」（６）で、操作ボード４０に対するユーザの操作あるいはＰＣ又はＦＣＵ（ファクシミリコントロールユニット）からのコマンドがあるのを待つ。
【００４３】
ここで、操作ボード４０上の「初期設定」キー４４が操作されると、操作ボード４０（にあるＣＰＵ）は、「初期設定」（８）を実行する。この「初期設定」（８）において操作ボード４０は、液晶タッチパネル４８に、初期設定のメニュー画面を表示する。該メニュー画面上の「一覧表示」の項目にユーザがタッチすると、操作ボード４０は、「一覧表示」の初期設定（８ｓｍ）に進む。この内容は、図６を参照して後述する。
【００４４】
液晶タッチパネル４８に表示された機能選択キー群４９の中の「コピー」にユーザがタッチすると、液晶タッチパネル４８の表示は、図４に示すコピーモードの入力画面となり、コントローラ８０は、操作ボード４０に対するユーザのコピー用入力操作に応答する「コピー」（１０）を実行する。
【００４５】
機能選択キー群４９の中の「読み取り」にユーザがタッチすると、液晶タッチパネル４８の表示は、原稿画像「読み取り」モードの入力画面となり、コントローラ８０は、操作ボード４０に対するユーザの読み取り用入力操作に応答する「読み取り」（１２）を実行する。この内容は、図８を参照して後述する。
【００４６】
機能選択キー群４９の中の「印刷」にユーザがタッチすると、液晶タッチパネル４８の表示は、蓄積画像の「印刷」モードの入力画面となり、コントローラ８０は、操作ボード４０に対するユーザの蓄積画像印刷のための入力操作に応答する「印刷」（１４）を実行する。機能選択キー群４９の中の「ファクシミリ」にユーザがタッチすると、液晶タッチパネル４８の表示は、スキャナ１０に配置した原稿の「ファクシミリ（送信）」モードの入力画面となり、コントローラ８０は、操作ボード４０に対するユーザのファクシミリ送信のための入力操作に応答する「ファクシミリ」（１６）を実行する。機能選択キー群４９の中の「蓄積」にユーザがタッチすると、液晶タッチパネル４８の表示は、スキャナ１０に配置した原稿の画像をＨＤＤ８２に蓄積（登録）する「蓄積」モードの入力画面となり、コントローラ８０は、操作ボード４０に対するユーザの蓄積のための入力操作に応答する「蓄積」（１８）を実行する。機能選択キー群４９の中の「編集」にユーザがタッチすると、液晶タッチパネル４８の表示は、ＨＤＤ８２に蓄積した画像を読み出して編集する「編集」モードの入力画面となり、コントローラ８０は、操作ボード４０に対するユーザの編集のための入力操作に応答する「編集」（２０）を実行する。
【００４７】
複写機ＭＦ１に接続されたＰＣには、該ＰＣを操作ボード４０と同等の操作端末とししかもＰＣに接続されたディスプレイに、ディスプレイ７７と同様に読み取り画像の一覧表示をするアプリケーションプログラムがインストールされており、ユーザはＰＣを用いて、操作ボード４０およびディスプレイ７７を使用するのと同等に、複写機ＭＦ１を使用することができる。ただし、ディスプレイ７７はタッチ入力方式であるが、このタッチ入力にかえてＰＣでは、キーボードのキー入力が採用されている。ＰＣのアプリケーションプログラムを起動することにより、図４に示す操作ボード入力面と同様な入力画面がＰＣのディスプレイに表示され、該入力画面上の入力ボタンにカーソルをおいてダブルクリックするか、あるいはＥｎｔｅｒキーを押すことにより、該入力ボタンに対する入力操作をＰＣが認識する。ＰＣに対する入力操作に応答して、ＰＣから複写機ＭＦ１のコントローラ８０にコマンドが送られてくると、コントローラ８０は、操作ボード４０に対して入力操作があった場合と同様に、コマンド対応の制御に進む（２２）。
【００４８】
図６を参照して、操作ボード４０（にあるＣＰＵ）による「一覧表示」の初期設定（８ｓｍ）の内容を説明すると、操作ボード４０はまず、液晶タッチパネル４８に「一覧表示の設定」の入力画面を表示する（３１）。該入力画面を図７の（ａ）に示す。入力項目は、一覧表示を「常にする」，「必要時にする」および「しない」であり、これらを表記するボタンにユーザがタッチすると、操作ボード４０は、そのボタンを操作読み取り済を表わす灰色表示に切り換える。ユーザが「決定」ボタンにタッチすると、操作ボード４０はその内部の不揮発性メモリに割り当てた「一覧表示」用データテーブルのレジスタＳＩＤに、操作があったボタン「常にする」，「必要時にする」又は「しない」を表わす「１０」，「０１」又は「００」を書き込む（３２〜３４）。これにより、「一覧表示」の入力画面を画像「読み取り」のスタート指示待ちのとき毎回表示する（ＳＩＤ：１０）か、ユーザが必要な場合のみ表示するか（ＳＩＤ：０１）又は常に表示しない（ＳＩＤ：００）が決定される。
【００４９】
「常にする：１０」又は「必要時にする：０１」を書き込んだときには、操作ボード４０は、画質処理および編集処理の各内容の組合せを指定するための、図７の（ｂ）に示す入力画面を、液晶タッチパネル４８に表示する（３５，３６）。操作ガイドブックに、多数の組合せが番号を付して表記されており、ユーザは、希望の組合せの番号を表示画面上の「組み合わせ番号：」の項にテンキーを用いて入力する。複数の組合せを指定するときには、「次へ」ボタンにタッチする。そして最後に「決定」ボタンにタッチする。この実施例では、８組まで指定可能である。「決定」にタッチがあると操作ボード４０は、それまでに入力があった組合せ番号のそれぞれを、操作ボード４０内部の不揮発性メモリに割り当てた「一覧表示」用データテーブルの組合せ番号レジスタＩＰＮ１〜８に個別に書込み、指定があった番号の数（組合せの組数）をレジスタＲＥＮに書き込む（３７〜３９）。次に操作ボード４０は、液晶タッチパネル４８に、図７の（ｃ）に示す、ＡＤＦ使用時の適用頁入力画面を表示する（４０）。該入力画面には、適用頁を第１頁（表紙）とする初期値が設定されている。ＡＤＦ１２に装着する原稿束の、他の頁の「一覧表示」を希望する場合には、ユーザは、頁番号入力欄に該当頁を入力して「決定」ボタンにタッチする。「決定」ボタンにタッチがあると操作ボード４０は、頁番号入力欄の頁をレジスタＤＰＮに書き込む（４１〜４３）。
【００５０】
図８を参照して、操作ボード４０（にあるＣＰＵ）とシステムコントローラ８０による「読み取り」（１２）の内容を説明すると、まず操作ボード４０が液晶タッチパネル４８に、スキャナ１０による原稿読み取りの入力画面を表示する（５１）。そしてレジスタＳＩＤのデータを参照して、それが「１０」（常に「一覧表示」する）であると「一覧表示」用データテーブルの組合せ番号レジスタＩＰＮ１〜８に登録した組合せ番号およびＡＤＦ使用の場合の指定頁を表示し、変更入力可を表示する（５２〜５４）。変更入力があればそれに表示を変更する。そしてスタートキー４３が押下されると、操作ボード４０は現在の入力状態を入力レジスタに保存し（５５，５６）、コントローラ８０は、入力レジスタに保存された組合せ番号（１以上）の画像データ処理を画像処理６１に設定して、スキャナ１０に画像読み取りを指示する（５７）。そこでスキャナ１０が原稿読み取りを行い、画像処理６１が指定された各組合わせの画像処理をして、コントローラ８０が各画像処理をした各画像をディスプレイ７７に一覧表示（５８）すると共に、メモリ８１に書き込む。ＡＤＦ１２を使用する場合には、指定頁には指定された各組合わせの画像処理をして、コントローラ８０が各画像処理をした各画像をディスプレイ７７に表示すると共に、圧縮符号化してＨＤＤ８２に書き込む。指定外頁の原稿の読み取り画像データも、指定された各組合わせの画像処理をして符号化圧縮してＨＤＤ８２に書き込むが、この時点では、ディスプレイ７７には一覧表示しない。
【００５１】
図９および図１０に、ディスプレイ７７上の一覧表示例を示す。この例は、７種の組合せ番号を指定した例である。最初は図９に示すように、最初の４種の組合せ番号で指定される各画像処理をスキャナ読み取り画像に施したものである。画面上の「次頁」ボタンにユーザがタッチすることにより、ディスプレイ７７上の表示は図１０に示すものに切換わる。図９に示す一覧表示の各画面〔結果１〕〜〔結果４〕の画像処理内容は表１に示すものであり、図１０に示す一覧表示の各画面〔結果５〕〜〔結果７〕の画像処理内容は表２に示すものである。
【００５２】
【表１】
2007306081.tif 000003
【００５３】
【表２】
2007306081.tif 000004
【００５４】
ユーザは、ディスプレイ７７上に表示された操作ボタンにタッチして、意図する画像を選択し出力することができる。ユーザが拡大表示を希望する場合（例えば画質モードによる差異確認時）、図９又は図１０画面にて、一覧表示の各画像を拡大表示できる。例えば図９に示した表示画面上の「拡大」にタッチすると図１１に示すように、表示画像の原点（０，０）から１画像表示領域分の拡大画像に表示が変わり、拡大表示位置を変更するための開始位置入力枠が表示される。ユーザはここに所望開始位置を入力して、拡大表示領域を変更することができる。
【００５５】
本実施例では、ディスプレイ７７上の１画面に表示する画像の最大数を４に定めているので、指定がある「組合せ番号」が５以上となった場合、画像選択の際、図９のような画面となり、「次頁」ボタンにタッチすることにより、図１０に示すように、残余の画面を切換え表示するようにしている。図１０に表示した画面上の「前頁」にユーザがタッチすると、ディスプレイ７７の表示は図９に示すものに切り換わる。
【００５６】
図９に示した画面上の最上段に示される数値付きの選択ボタンにタッチすることにより、該画面上に並べて表示する画像を選択できる。画像１，２および５，６を指定した場合の画面上の表示を図１２に示す。
【００５７】
表示画面（図９，図１０，図１２）上の最下段の画像指定ボタン（１〜４）にタッチし、そして「決定」ボタンにタッチすることにより、出力画像を指定できる。「決定」ボタンにタッチがあるとコントローラ８０はディスプレイに出力指定のための入力画面を表示する（５９）。該入力画面には、「閉じる」ボタン，「名前をつけて保存」ボタン，「送る」ボタンおよび「印刷」ボタンがある。ユーザが「閉じる」ボタンにタッチすると、ディスプレイ７７の画像表示は消えて、操作ボード４０の液晶タッチパネル４８の表示は、読み取り条件入力画面（図８の５１）に戻る。この入力画面にも機能指定キー群４９の表示があり、その中の他の機能キーにユーザがタッチすることにより、液晶タッチパネル４８の表示は、他の機能の入力画面に切り換わる。上記「名前をつけて保存」ボタンにユーザがタッチすると、ＨＤＤ８２に蓄積（登録）するための入力画面がディスプレイ７７に表示され、そこにファイル名を入力して実行を指示することにより、「希望する画像の選択」欄で指定された表示中画像がＨＤＤ８２に格納される。これが終わるとディスプレイ７７の画像表示は消えて、操作ボード４０の液晶タッチパネル４８の表示は、読み取り条件入力画面（図８の５１）に戻る。上記「送る」ボタンにユーザがタッチすると、コントローラ８０は、ＨＤＤ８２に設定されているフォルダへの格納，外部記録媒体への格納，ＰＣへの転送、および、ファクシミリ送信のいずれかを指定するための入力画面をディスプレイ７７に表示する。ユーザはここで希望する出力先を指定し、対話形式で送り処理を行う。上記「印刷」ボタンにユーザがタッチしたときには、コントローラ８０は、操作ボード４０の機能選択キー群４９の中の「印刷」キーにユーザがタッチしたときに液晶タッチパネル４８に表示する「印刷」入力画面と同様な入力画面を、ディスプレイ７７に表示する。ユーザはこの入力画面を用いて、「希望する画像の選択」欄で指定された表示中画像をプリンタ２０でプリントアウトできる。以上が、図８の「選択出力」（５９）の内容である。
【００５８】
図８を再度参照する。「読み取り条件入力画面」を操作ボード４０の液晶タッチパネル４８に表示したときに、レジスタＳＩＤのデータが「０１」（必要時に一覧表示する）であった場合には、操作ボード４０は、液晶タッチパネル４８に、「一覧表示」を実行するか否の入力画面をポップアップ表示する（６０，６１）。この入力画面に対してユーザが「実行する」を指定すると、操作ボード４０は、液晶タッチパネル４８に、「一覧表示」の設定状態を追加表示する（５３）。この内容および以降の処理は、前述の、「一覧表示」をする場合の画像読み取りと同様である。
【００５９】
ポップアップ表示の入力画面に対して、「一覧表示」を実行しない、をユーザが指定すると、操作ボード４０は、「読み取り条件入力画面」に対するユーザの入力を読み込み（６３）、スタートキー４３の押下があると入力状態を入力レジスタに保存する（６５）。コントローラ８０は、入力レジスタに保存された読み取り条件対応の画像データ処理を画像処理６１に設定して、スキャナ１０に画像読み取りを指示する（６６）。そこでスキャナ１０が原稿読み取りを行い、画像処理６１が指定された画像処理をして、コントローラ８０が処理済画像をディスプレイ７７に表示（６７）すると共に、メモリ８１に書き込む。ＡＤＦ１２を使用する場合には、読み取り画像をディスプレイ７７に表示すると共に、圧縮符号化してＨＤＤ８２に書き込む。そしてコントローラ８０はディスプレイ７７に出力指定のための入力画面を表示する（６８）。以降の処理は既に説明した「選択出力」（５９）の内容と同様である。
【図面の簡単な説明】
【００６０】
【図１】本発明の一実施例である複合機能カラー複写機の機構概要を示す縦断面図である。
【図２】図１に示す複写機の画像処理系統のシステム構成を示すブロツク図である。
【図３】図２に示す画像処理６１の機能構成の概要を示すブロツク図である。
【図４】図２に示す操作ボード４０の操作盤面の一部を示す拡大平面図である。
【図５】図２に示すシステムコントローラ８０および操作ボード４０によって行われるシステム制御の概要を示すフローチャートである。
【図６】操作ボード４０がユーザ入力に応答して実行する初期設定の中の、「一覧表示」の初期設定の概要を示すフローチャートである。
【図７】「一覧表示」の初期設定において液晶タッチパネル４８に表示される入力画面を示す平面図である。
【図８】図２に示すシステムコントローラ８０および操作ボード４０によって行われる画像読み取り制御の概要を示すフローチャートである。
【図９】図８に示す画像読み取り制御（１２）によってディスプレイ７７に表示された「一覧表示」画面の第１頁を示す平面図である。
【図１０】図８に示す画像読み取り制御（１２）によってディスプレイ７７に表示された「一覧表示」画面の第２頁を示す平面図である。
【図１１】図９に示す表示画面上の「拡大」ボタンが操作されたときに表示される一覧表示画面を示す平面図である。
【図１２】図９に示す表示画面上の希望画面指定ボタン「１」，「２」，「５」，「６」の操作に対応してディスプレイ７７に一覧表示された画面を示す平面図である。
【符号の説明】
【００６１】
２１：転写ベルト
２２：感光体ドラム
２３：帯電ローラ
２４：光書込ユニット
２５：現像器
２６：転写ローラ
２８〜３０：給紙トレイ
３３：搬送ベルト
３４：定着ユニット
３５：両面ドライブユニット
４０：操作ボード
４８：液晶タッチパネル
４９：機能キー群
【図１】
2007306081.tif 000005
【図２】
2007306081.tif 000006
【図３】
2007306081.tif 000007
【図４】
2007306081.tif 000008
【図５】
2007306081.tif 000009
【図６】
2007306081.tif 000010
【図７】
2007306081.tif 000011
【図８】
2007306081.tif 000012
【図９】
2007306081.tif 000013
【図１０】
2007306081.tif 000014
【図１１】
2007306081.tif 000015
【図１２】
2007306081.tif 000016